(57)【要約】【課題】室外機の生産性を向上させると共に、騒音の発生を防ぐ。【解決手段】室外機に、アキュムレータ６と、ケーシングの底フレーム２１と、底フレーム２１の所定位置に立設されたアキュムレータ６を鉛直方向に変位可能に支持する支持機構９とを有する保持構造７を備える。支持機構９は、底フレーム２１上に設けられたピン９１と、アキュムレータ６の下端部に取り付けられた支持部材９２とを有している。支持部材９２には、アキュムレータ６の側方に位置しており、ピン９１が挿入される開口９４ａが形成された挿入部９４が設けられている。また、挿入部９４の下端と底フレーム２１との間に、ピン９１に嵌め込まれる環状の部材である第１緩衝ゴム９５を配置する。【選択図】図５
2010084965.tif 000002
【特許請求の範囲】
【請求項１】
液溜容器と、
前記液溜容器を収容するためのケーシングの一部を構成する底フレームと、
前記底フレーム上の所定位置に立設された前記液溜容器を鉛直方向に変位可能に支持する支持手段とを備えていることを特徴とする空気調和機の室外機における保持構造。
【請求項２】
前記支持手段は、
前記液溜容器の外周部及び前記底フレームの上面のうちの一方に設けられ、鉛直方向に突出する第１突出部と、
前記液溜容器の外周部及び前記底フレームの上面のうちの他方に設けられ、前記第１突出部の側面に沿って移動可能な当接部とを有していることを特徴とする請求項１に記載の保持構造。
【請求項３】
前記当接部は、前記第１突出部が挿入される開口を有していることを特徴とする請求項２に記載の保持構造。
【請求項４】
前記開口は、前記第１突出部の断面形状とほぼ同一の平面形状を有しており、
前記第１突出部は、前記開口に嵌入されることを特徴とする請求項３に記載の保持構造。
【請求項５】
前記開口は、前記第１突出部の断面形状より大きい平面形状を有しており、
前記支持手段は、
前記第１突出部が前記開口に挿入された状態において前記第１突出部と前記当接部との水平方向に関する位置を固定する固定手段をさらに備えていることを特徴とする請求項３に記載の保持構造。
【請求項６】
前記支持手段は、
前記第１突出部に嵌め込まれると共に、前記第１突出部が前記開口に挿入された状態において前記液溜容器の外周部と前記底フレームの上面との間に配置される緩衝部材をさらに備えていることを特徴とする請求項３〜５のいずれか１項に記載の保持構造。
【請求項７】
前記当接部は、鉛直方向に平行な当接面を有しており、
前記支持手段は、
前記第１突出部が前記当接面と対向した状態において前記第１突出部と前記当接部との水平方向に関する位置を固定する固定手段をさらに備えていることを特徴とする請求項２に記載の保持構造。
【請求項８】
前記支持部材は、
前記第１突出部の側面と前記当接部との間に配置された緩衝部材をさらに備えていることを特徴とすることを特徴とする請求項７に記載の保持構造。
【請求項９】
前記支持手段は、
前記液溜容器の外周部及び前記底フレームの上面のうちの一方において前記第１突出部に対応した位置から離れて設けられた第２突出部と、
前記液溜容器の外周部及び前記底フレームの上面のうちの他方に設けられ、前記第２突出部が嵌入される嵌入部とを有していることを特徴とする請求項２〜８のいずれか１項に記載の保持構造。
【請求項１０】
前記第２突出部は、弾性を有する材料で形成されていることを特徴とする請求項９に記載の保持構造。
【発明の詳細な説明】
【技術分野】
【０００１】
本発明は、液溜容器を備えた空気調和機の室外機の保持構造に関するものである。
【背景技術】
【０００２】
一般に、空気調和機の室外機は、圧縮機、室外ファンと、室外熱交換器、液溜容器、弁及び配管等を含む冷媒回路、電気部品等と、これら室外ファン及び冷媒回路を収容する略箱状のケーシングとを備えている（例えば、特許文献１参照）。ここで、液溜容器とは、アキュムレータやレシーバ等の冷媒を溜めることが可能なものである。そして、液溜容器は、冷媒回路に含まれる他の部品と配管を介して接続されることで支持され、ケーシングの底フレームに対して直接には支持されないことが多い。したがって、室外機を組み立てる際に、液溜容器を所定位置に配置して他の部品と配管で接続する作業を行う場合には、液溜容器を手で支持しつつ配管の接続作業を行う必要がある。そのため、作業性が悪く、室外機の生産性が著しく低下してしまう。
【０００３】
特許文献１には、液溜容器であるレシーバをケーシングの底フレームに対して固定する構造が開示されている。このような構造が適用された室外機を組み立てる際には、液溜容器を所定位置に配置して他の部品と配管で接続する作業を行う場合に、液溜容器を手で支持しつつ配管の接続作業を行う必要がなく、配管の接続作業を容易に行うことができる。
【特許文献１】特開２００５−７６９２４号公報
【発明の開示】
【発明が解決しようとする課題】
【０００４】
しかしながら、特許文献１に記載されているように、液溜容器をケーシングの底フレームに固定すると、室外機を運転した際に圧縮機から液溜容器に伝わった振動が底フレームに伝播し、騒音が発生するという問題がある。
【０００５】
この本発明は、上記のような課題を解決するためになされたものであり、室外機の生産性を向上させると共に、騒音の発生を防ぐことができる空気調和機の室外機における保持構造を提供することを目的とする。
【課題を解決するための手段】
【０００６】
第１の発明にかかる空気調和機の室外機における保持構造は、液溜容器と、前記液溜容器を収容するためのケーシングの一部を構成する底フレームと、前記底フレーム上の所定位置に立設された前記液溜容器を鉛直方向に変位可能に支持する支持手段とを備えている。
【０００７】
この保持構造では、空気調和機の室外機を組み立てる際に、液溜容器を自立させた状態で配管の接続作業を行うことができるので、作業性が向上し、室外機の生産性が向上する。また、液溜容器は、底フレームに固定されるわけではなく、鉛直方向への変位が可能な状態で支持されるので、室外機を運転した際に圧縮機から液溜容器に伝わった振動が底フレームに伝播し、騒音が発生するのを防ぐことができる。
【０００８】
第２の発明にかかる保持構造では、第１の発明にかかる保持構造において、前記支持手段は、前記液溜容器の外周部及び前記底フレームの上面のうちの一方に設けられ、鉛直方向に突出する第１突出部と、前記液溜容器の外周部及び前記底フレームの上面のうちの他方に設けられ、前記第１突出部の側面に沿って移動可能な当接部とを有している。なお、「液溜容器の外周部」は、液溜容器の外周面であってもよいし、液溜容器に取り付けられた部材であってもよい。
【０００９】
この構造では、当接部を第１突出部の側面に接触した状態で第１突出部の伸延方向に沿って移動可能にすることで、液溜容器を鉛直方向に変位可能に支持する構成を実現できる。また、このとき、水平方向に関して、当接部が第１突出部の側面に接触する方向に移動するのを防ぐことができる。
【００１０】
第３の発明にかかる保持構造では、第２の発明にかかる保持構造において、前記当接部は、前記第１突出部が挿入される開口を有している。
【００１１】
この保持構造では、簡易な構成で液溜容器を鉛直方向に変位可能にできる。また、当接部が水平方向に移動するのを防ぐ構成を簡略化できる。
【００１２】
第４の発明にかかる保持構造は、第３の発明にかかる保持構造において、前記開口は、前記第１突出部の断面形状とほぼ同一の平面形状を有しており、前記第１突出部は、前記開口に嵌入される。
【００１３】
この保持構造では、簡易な構成で、当接部が水平方向の全ての方向に移動するのを防ぐ構成を実現できる。
【００１４】
第５の発明にかかる保持構造では、第３の発明にかかる保持構造において、前記開口は、前記第１突出部の断面形状より大きい平面形状を有しており、前記支持手段は、前記第１突出部が前記開口に挿入された状態において前記第１突出部と前記当接部との水平方向に関する位置を固定する固定手段をさらに備えている。
【００１５】
この保持構造では、第１突出部の開口への挿入を容易に行うことができる。
【００１６】
第６の発明にかかる保持構造では、第３〜５の発明のいずれかにかかる保持構造において、前記支持手段は、前記第１突出部に嵌め込まれると共に、前記第１突出部が前記開口に挿入された状態において前記液溜容器の外周部と前記底フレームの上面との間に配置される緩衝部材をさらに備えている。
【００１７】
この保持構造では、室外機を運転した際に、液溜容器の振動が底フレームに伝播し、騒音が発生するのを確実に防ぐことができる。
【００１８】
第７の発明にかかる保持構造では、第２の発明にかかる保持構造において、前記当接部は、鉛直方向に平行な当接面を有しており、前記支持手段は、前記第１突出部が前記当接面と対向した状態において前記第１突出部と前記当接部との水平方向に関する位置を固定する固定手段をさらに備えている。
【００１９】
この保持構造では、第１突出部と当接部との水平方向に関する位置を固定手段で固定することで、当接部が水平方向の全ての方向に移動するのを防ぐ構成を実現できる。
【００２０】
第８の発明にかかる保持構造では、第７の発明にかかる保持構造において、前記支持部材は、前記第１突出部の側面と前記当接部との間に配置された緩衝部材をさらに備えている。
【００２１】
この保持構造では、室外機を運転した際に、液溜容器の振動が底フレームに伝播し、騒音が発生するのを確実に防ぐことができる。
【００２２】
第９の発明にかかる支持構造では、第２〜８の発明のいずれかにかかる保持構造において、前記支持手段は、前記液溜容器の外周部及び前記底フレームの上面のうちの一方において前記第１突出部に対応した位置から離れて設けられた第２突出部と、前記液溜容器の外周部及び前記底フレームの上面のうちの他方に設けられ、前記第２突出部が嵌入される嵌入部とを有している。
【００２３】
この保持構造では、第１突出部を中心に液溜容器が回転するのを防ぐことができる。
【００２４】
第１０の発明にかかる保持構造では、第９の発明にかかる保持構造において、前記第２突出部は、弾性を有する材料で形成されている。
【００２５】
この保持構造では、室外機を運転した際に、液溜容器の振動が底フレームに伝播し、騒音が発生するのをより確実に防ぐことができる。
【発明の効果】
【００２６】
以上の説明に述べたように、本発明によれば、以下の効果が得られる。
【００２７】
第１の発明では、空気調和機の室外機を組み立てる際に、液溜容器を自立させた状態で配管の接続作業を行うことができるので、作業性が向上し、室外機の生産性が向上する。また、液溜容器は、底フレームに固定されるわけではなく、鉛直方向への変位が可能な状態で支持されるので、室外機を運転した際に圧縮機から液溜容器に伝わった振動が底フレームに伝播し、騒音が発生するのを防ぐことができる。
【００２８】
また、第２の発明では、当接部を第１突出部の側面に接触した状態で第１突出部の伸延方向に沿って移動可能にすることで、液溜容器を鉛直方向に変位可能に支持する構成を実現できる。また、このとき、水平方向に関して、当接部が第１突出部の側面に接触する方向に移動するのを防ぐことができる。
【００２９】
さらに、第３の発明では、簡易な構成で液溜容器を鉛直方向に変位可能にできる。また、当接部が水平方向に移動するのを防ぐ構成を簡略化できる。
【００３０】
また、第４の発明では、簡易な構成で、当接部が水平方向の全ての方向に移動するのを防ぐ構成を実現できる。
【００３１】
また、第５の発明では、第１突出部の開口への挿入を容易に行うことができる。
【００３２】
加えて、第６の発明では、室外機を運転した際に、液溜容器の振動が底フレームに伝播し、騒音が発生するのを確実に防ぐことができる。
【００３３】
さらに、第７の発明では、第１突出部と当接部との水平方向に関する位置を固定手段で固定することで、当接部が水平方向の全ての方向に移動するのを防ぐ構成を実現できる。
【００３４】
また、第８の発明では、室外機を運転した際に、液溜容器の振動が底フレームに伝播し、騒音が発生するのを確実に防ぐことができる。
【００３５】
また、第９の発明では、第１突出部を中心に液溜容器が回転するのを防ぐことができる。
【００３６】
さらに、第１０の発明では、室外機を運転した際に、液溜容器の振動が底フレームに伝播し、騒音が発生するのをより確実に防ぐことができる。
【発明を実施するための最良の形態】
【００３７】
（第１の実施形態）
以下、図面を参照しつつ、本発明の実施形態にかかる保持構造を備えた空気調和機の室外機について説明する。図１は、本発明の実施形態にかかる空気調和機の室外機の外観斜視図である。図２は、図１に示す室外機の内部構造を示す図である。
【００３８】
本実施形態の室外機１は、空調室外に設置されるものであり、空調室に設置される室内機（図示せず）に冷媒連絡配管を介して接続されている。室外機１は、室外ファン３と、後で詳述するように、室外熱交換器４、圧縮機５、アキュムレータ６、及びこれらを接続する配管８等で構成される冷媒回路１０と、その内部にこれら室外ファン３及び冷媒回路１０を収容する略直方体形状のケーシング２とを主に備えている。
【００３９】
ケーシング２は、いずれも金属製の板状部材であり、ケーシング２の下部及び上部をそれぞれ構成する底フレーム２１及び天板２２と、ケーシング２の図１における左側部、左前部、右前部、及び右側部をそれぞれ構成する左側板２３、左前板２４、右前板２５、及び右側板２６とを有している。なお、ケーシング２の背面には、ケーシング２内に空気を取り込むための吸込口（図示せず）が形成されている。
【００４０】
底フレーム２１及び天板２２は、いずれも略長方形形状を有している。図２に示すように、底フレーム２１の周縁部は、上向きに折り曲げられた折曲部２１ａが形成されている。この折曲部２１ａには、左側板２３、左前板２４、右前板２５、及び右側板２６を底フレーム２１にネジ止め固定するための孔が形成されている。また、底フレーム２１の下面には、脚部２７が取り付けられている。左側板２３には、ケーシング２内に空気を取り込むための吸込口（図示せず）が形成されており、左前板２４には、ケーシング内に取り込まれた空気を吹き出すための吹出口２４ａが形成されている。
【００４１】
図２に示すように、室外熱交換器４は、ケーシング２の左側面及び背面に沿うように配置されており、平面視で略Ｌ字形状を有している。室外ファン３は、３数の翼を有するプロペラファンであり、室外熱交換器４の前面側において吹出口２４ａと対向する位置に配置されている。したがって、この室外ファン３を回転駆動すると、ケーシング２の背面及び左側面を通じてケーシング２内に空気が取り込まれ、ケーシング２内に取り込まれた空気は、室外熱交換器４を通過した後、前面の吹出口２４ａから吹き出されるようになっている。そして、室外熱交換器４によって、ケーシング２内に取り込まれた空気との間で熱交換が行われる。
【００４２】
室外熱交換器４を除く冷媒回路１０を構成する部品は、室外ファン３の一側方（図２において右側方）に配置されている。圧縮機５は、冷媒回路１０内を流れる低圧のガス冷媒を圧縮して昇圧させるものであり、底フレーム２１に支持されている。アキュムレータ６は、圧縮機５の吸入側に設けられており、冷媒回路１０内を流れる冷媒を溜めるためのものである。ここで、アキュムレータ６は、略円筒形状を有していると共に、底フレーム２１上の所定位置に立設されている。なお、後で詳述するように、室外機１には、アキュムレータ６が自立するような保持構造７（図３等参照）が構成されている。
【００４３】
室外熱交換器４、圧縮機５及びアキュムレータ６を接続する配管８には、四方切換弁８１、電動膨張弁８２、閉鎖弁８３が設けられている。四方切換弁８１は、冷房運転及び暖房運転の切り換えに応じて冷媒回路１０内を流れる冷媒の向きを変更するためのものであり、圧縮機５の上方に配置されている。電動膨張弁８２は、冷媒回路１０内を流れる高圧の液冷媒の減圧操作及び流量調節を行うためのものであり、圧縮機５の一側方（図２において右側方）に配置されている。閉鎖弁８３は、図示しない室内機と室外機１とを接続するための冷媒連絡配管が接続されるものである。図２に示すように、閉鎖弁８３は、この閉鎖弁８３に接続された冷媒連絡配管が、室外機１の背面における下部から引き出される位置に配置されている。
【００４４】
また、図２に示すように、ケーシング２内における圧縮機５やアキュムレータ６が配置されている位置の上方には、運転制御を行うためのマイコン等を含む制御Ｐ板やインバータ等の各種電気部品を有する電装品ユニット１１が配置されている。
【００４５】
次に、図３〜図６をさらに参照しつつ、室外機１におけるアキュムレータ６の保持構造７について説明する。図３は、保持構造７によって自立している状態のアキュムレータ６を示す斜視図である。図４は、図３に示すアキュムレータ６の下端部近傍の拡大図斜視図である。図５は、図３に示すアキュムレータ６の下端部近傍の拡大断面図である。図６は、図３に示す保持構造７の分解斜視図である。
【００４６】
保持構造７は、主に、上述の底フレーム２１と、底フレーム２１上の所定位置に立設されたアキュムレータ６と、アキュムレータ６を鉛直方向に変位可能に支持する支持機構９とを備えている。支持機構９は、主に、底フレーム２１上に設けられたピン９１と、アキュムレータ６の下端部に取り付けられた支持部材９２とを備えている。
【００４７】
ピン９１は、底フレーム２１の上面におけるアキュムレータ６が立設される位置の近傍に、鉛直上方に突出するように設けられている。ピン９１は、本実施の形態では、ねじが切られていない単なる棒であり、溶接等によって底フレーム２１に固定されているが、スタットボルト等を用いることもできる。
【００４８】
支持部材９２は、アキュムレータ６の下面に対向する底部９３と、アキュムレータ６の側方に位置しており、ピン９１が挿入される挿入部９４とを有している。挿入部９４は、図４に示すように、ピン９１の側面の手前側を覆う部分と奥側を覆う部分とが上下方向に交互に連なって構成されており、全体として略筒状に形成されている。そして、挿入部９４には、図５に示すように、ピン９１の水平断面形状とほぼ同一の平面形状を有しており、ピン９１が挿入される開口９４ａが形成されている。すなわち、挿入部９４は、その開口９４ａにおいてピン９１のほぼ全周に接触し、ピン９１の側面に沿って移動可能となっている。したがって、ピン９１を挿入部９４に挿入することで、アキュムレータ６を鉛直方向に変位可能としつつ、水平方向の全ての方向への移動を規制することができる。
【００４９】
支持機構９は、上述のピン９１及び支持部材９２に加えて、支持部材９２と底フレーム２１とが直接的に接触するのを防ぐ第１緩衝ゴム９５及び第２緩衝ゴム９６を備えている。これら第１及び第２緩衝ゴム９５、９６によって、室外機１を運転した際に、配管８を介して圧縮機５からアキュムレータ６に伝わった振動が底フレーム２１に伝播するのを防ぐことができる。
【００５０】
第１緩衝ゴム９５は、支持部材９２の挿入部９４と底フレーム２１とが直接的に接触するのを防ぐものである。第１緩衝ゴム９５は、ピン９１に嵌め込まれる環状の部材であり、ピン９１が挿入部９４に挿入された状態において、挿入部９４の下端と底フレーム２１との間に配置される。
【００５１】
第２緩衝ゴム９６は、支持部材９２の底部９３と底フレーム２１とが直接的に接触するのを防ぐものである。第２緩衝ゴム９６は、底フレーム２１の上面におけるアキュムレータ６が立設される所定位置近傍であってピン９１から離れた位置に設けられており、図６に示すように、その上部は平面視で三角形形状を有している。また、支持部材９２の底部９３には、第２緩衝ゴム９６の上部の形状とほぼ同一形状である三角形形状の開口９３ａが形成されており、第２緩衝ゴム９６の上部は開口９３ａに嵌入される。
【００５２】
したがって、ピン９１を挿入部９４に挿入すると共に、第２緩衝ゴム９６を開口９３ａに嵌入することで、アキュムレータ６の水平方向への移動を規制することができると共に、アキュムレータ６がピン９１を中心に回転するのを規制することができる。
【００５３】
ここで、室外機１を組み立てる際の手順の一例について説明する。まず、室外熱交換器４及び圧縮機５を底フレーム２１上に配置する。次に、ピン９１及び第２緩衝ゴム９６が取り付けられた底フレーム２１に対して、第１緩衝ゴム９５をピン９１に嵌入させた後で、アキュムレータ６を底フレーム２１上に立設させる。このとき、支持部材９２の挿入部９４にピン９１を挿入させると共に、支持部材９２の底部９３に形成された開口９３ａに第２緩衝ゴム９６を嵌入させ、アキュムレータ６を自立状態で立設させる。そして、アキュムレータ６と、冷媒回路に含まれる室外熱交換器４や圧縮機５等の部品とを配管８で接続する。
【００５４】
上述のように、第１の実施形態の空気調和機の室外機１における保持構造７は、アキュムレータ６と、ケーシング２の底フレーム２１と、底フレーム２１上の所定位置に立設されたアキュムレータ６を鉛直方向に変位可能に支持する支持機構９とを備えている。したがって、空気調和機の室外機１を組み立てる際に、アキュムレータ６を自立させた状態で配管８の接続作業を行うことができるので、作業性が向上する。よって、室外機１の生産性が向上する。また、アキュムレータ６は、底フレーム２１に固定されるわけではなく、鉛直方向への変位が可能な状態で支持されるので、室外機１を運転した際に圧縮機５からアキュムレータ６に伝わった振動が底フレーム２１に伝播し、騒音が発生するのを防ぐことができる。
【００５５】
また、支持機構９は、底フレーム２１上に設けられ鉛直方向に突出するピン９１と、アキュムレータ６に取り付けられた支持部材９２とを備えている。支持部材９２には、アキュムレータ６の側方に位置しており、ピン９１の側面に沿って移動可能な挿入部９４が形成されている。したがって、挿入部９４をピン９１の側面に接触した状態でピン９１の伸延方向に沿って移動可能にすることで、アキュムレータ６を鉛直方向に変位可能に支持する構成を実現できる。また、このとき、水平方向に関して、挿入部９４がピン９１の側面に接触する方向に移動するのを防ぐことができる。
【００５６】
さらに、支持部材９２の挿入部９４は、ピン９１が挿入される開口９４ａを有している。したがって、ピン９１を開口９４ａに挿入することで、アキュムレータ６を鉛直方向に変位可能にできる。よって、簡易な構成でアキュムレータ６を鉛直方向に変位可能にできる。また、挿入部９４が水平方向に移動するのを防ぐ構成を簡略化できる。
【００５７】
また、挿入部９４の開口９４ａは、ピン９１の断面形状とほぼ同一の平面形状を有しており、ピン９１は、開口９４ａに嵌入される。したがって、簡易な構成で、挿入部９４が水平方向の全ての方向に移動するのを防ぐ構成を実現できる。
【００５８】
また、支持機構９は、ピン９１に嵌め込まれると共に、ピン９１が開口９４ａに挿入された状態において挿入部９４と底フレーム２１の上面との間に配置される第１緩衝ゴム９５を備えている。したがって、室外機１を運転した際に、アキュムレータ６の振動が底フレーム２１に伝播し、騒音が発生するのを確実に防ぐことができる。
【００５９】
加えて、支持機構９は、底フレーム２１の上面においてピン９１から離れて設けられた第２緩衝ゴム９６と、支持部材９２におけるアキュムレータ６の下面に対向する底部９３に設けられており、第２緩衝ゴム９６が嵌入される開口９３ａとを有している。したがって、ピン９１を中心にアキュムレータ６が回転するのを防ぐことができる。
【００６０】
さらに、第２緩衝ゴム９６の弾性により、アキュムレータ６の振動を吸収することができる。したがって、室外機１を運転した際に騒音が発生するのをより確実に防ぐことができる。
【００６１】
（第２の実施形態）
次に、本発明の第２の実施形態について、図７を参照しつつ説明する。図７は、本実施形態にかかる保持構造によって自立している状態のアキュムレータを示す斜視図である。本実施形態の保持構造は、支持機構１０９の構成のみが第１の実施形態の支持機構９と異なっている。その他の構成については、第１の実施形態とほぼ同様であるので、同一の符号を付けて説明を省略する。
【００６２】
支持機構１０９は、第１の実施形態のピン９１と同様に底フレーム２１上に設けられたピン１９１と、アキュムレータ６の下端部に取り付けられた支持部材１９２と、ピン１９１と支持部材１９２との水平方向に関する位置を固定する固定具１９５とを主に備えている。
【００６３】
支持部材１９２は、アキュムレータ６の下面に対向する底部９３と、アキュムレータ６の側方に位置している挿入部１９４とを有している。挿入部１９４には、ピン１９１が挿入される開口１９４ａが形成されている。開口１９４ａは、ピン１９１の水平面に関する断面形状よりも大きく、平面視で略円弧状の細長形状を有している。なお、支持部材１９２は、第１の実施形態と同様に、第１緩衝ゴム９５及び第２緩衝ゴム９６によって、底フレーム２１と直接的に接触しないようになっている。
【００６４】
固定具１９５は、ピン１９１の水平面に関する断面形状とほぼ同一の平面形状を有する開口１９５ａが形成された板状部材である。ピン１９１が開口１９４ａに挿入された状態において、固定具１９５の開口１９５ａにピン１９１を嵌入すると共に、固定具１９５をビス１９６で挿入部１９４に固定することによって、ピン１９１と挿入部１９４との水平方向に関する位置を固定できる。
【００６５】
ここで、室外機１の冷媒回路１０を組み立てる際に、アキュムレータ６を底フレーム２１上に自立状態で立設させる手順について説明する。まず、ピン１９１及び第２緩衝ゴム９６をそれぞれ底フレーム２１に取り付ける。次に、ピン１９１に第１緩衝ゴム９５を嵌入させる。続いて、支持部材１９２が取り付けられた状態のアキュムレータ６を用意し、支持部材１９２の挿入部１９４に形成された開口１９４ａにピン１９１を挿入させると共に、支持部材１９２の底部９３に形成された開口９３ａに第２緩衝ゴム９６を嵌入させる。さらに、固定具１９５をビス１９６によって挿入部１９４に固定する。
【００６６】
以上のような構成により、本実施形態では、第１の実施形態と同様に、室外機１の生産性を向上させると共に、騒音の発生を防ぐことができる。
【００６７】
加えて、支持部材１９２の挿入部１９４に形成された開口１９４ａは、ピン１９１の水平面に関する断面形状よりも大きい。支持部材１９２はアキュムレータ６に取り付けられているので、開口１９４ａにピン１９１を挿入する際には、アキュムレータ６を持ち上げて開口１９４ａとピン１９１との位置合わせを行う必要がある。したがって、開口１９４ａが小さい場合には、ピン１９１を挿入する作業が困難であるが、本実施形態では、開口１９４ａへのピン１９１の挿入を容易に行うことができる。
【００６８】
（第３の実施形態）
次に、本発明の第３の実施形態について、図８を参照しつつ説明する。図８は、本実施形態にかかる保持構造によって自立している状態のアキュムレータを示す斜視図である。本実施形態の保持構造は、支持機構２０９の構成のみが第１の実施形態の支持機構９と異なっている。その他の構成については、第１の実施形態とほぼ同様であるので、同一の符号を付けて説明を省略する。
【００６９】
支持機構２０９は、第１の実施形態のピン９１と同様に底フレーム２１上に設けられたピン２９１と、アキュムレータ６の下端部に取り付けられた支持部材２９２と、ピン２９１と支持部材２９２との水平方向に関する位置を固定するタイラップ２９５とを主に備えている。
【００７０】
ピン２９１の側面は、弾性を有する防露筒２９６によって覆われている。支持部材２９２は、アキュムレータ６の下面に対向する底部９３と、アキュムレータ６の側方に位置している当接部２９４とを有している。当接部２９４は、鉛直方向に平行な当接面２９４ａを有している。タイラップ２９５は、当接面２９４ａが、防露筒２９６に接触した状態で、ピン２９１と当接部２９４との水平方向に関する位置が固定されるように、ピン２９１及び当接部２９４に巻きつけられる。
【００７１】
なお、支持部材２９２は、第１の実施形態と同様に、第２緩衝ゴム９６によって、底フレーム２１と直接的に接触しないようになっている。また、防露筒２９６は、緩衝材をして機能し、アキュムレータ６の振動がピン２９１を介して底フレーム２１に伝播するのを防いでいる。
【００７２】
ここで、室外機１の冷媒回路１０を組み立てる際に、アキュムレータ６を底フレーム２１上に自立状態で立設させる手順について説明する。まず、ピン２９１及び第２緩衝ゴム９６をそれぞれ底フレーム２１に取り付ける。次に、ピン２９１に防露筒２９６を取り付ける。続いて、支持部材２９２が取り付けられた状態のアキュムレータ６を用意し、支持部材２９２の底部９３に形成された開口９３ａに第２緩衝ゴム９６を嵌入させる。さらに、支持部材２９２の当接部２９４を防露筒２９６に接触させた状態で、タイラップ２９５を巻付ける。
【００７３】
以上のような構成により、本実施形態では、第１の実施形態と同様に、室外機１の生産性を向上させると共に、騒音の発生を防ぐことができる。
【００７４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００７５】
例えば、上述の第１及び第２の実施形態では、支持部材９２（１９２）の挿入部９４（１９４）と底フレーム２１との間に第１緩衝ゴム９５が配置される場合について説明したが、これには限定されない。第１緩衝ゴム９５は、軟質の合成樹脂等の弾性を有する別の部材に置き換えられてもよい。また、第１緩衝ゴム９５はなくてもよい。
【００７６】
さらに、上述の第３の実施形態では、支持部材２９２の当接部２９４とピン２９１との間に弾性を有する防露筒２９６が配置されている場合について説明したが、防露筒２９６はなくてもよい。
【００７７】
加えて、上述の第１〜第３の実施形態では、底フレーム２１上に設けられており、支持部材９２（１９２、２９２）の底部９３に形成された開口９３ａに嵌入される第２緩衝ゴム９６を備えている場合について説明したが、これには限定されない。第２緩衝ゴム９６は、軟質の合成樹脂等の弾性を有する別の部材や、弾性を有さない別の部材に置き換えられてもよい。また、第２緩衝ゴム９６はなくてもよい。
【００７８】
また、上述の第１及び第２の実施形態では、アキュムレータ６に取り付けられた支持部材９２（１９２）に挿入部９４（１９４）が形成されており、底フレーム２１にピン９１が設けられている場合について、第３の実施形態では、支持部材２９２に当接部２９４が形成されており、底フレーム２１にピン９１が設けられている場合について説明したが、これらには限定されない。すなわち、底フレーム２１に、第１及び第２の実施形態の挿入部９４（１９４）や第３の実施形態の当接部２９４が設けられており、支持部材９２（１９２、２９２）にピン９１が設けられていてもよい。さらに、アキュムレータ６に支持部材９２（１９２、２９２）が取り付けられておらず、アキュムレータ６本体の外周面に直接に挿入部９４（１９４）もしくは当接部２９４、またはピン９１が設けられていてもよい。
【００７９】
また、上述の第１〜第３の実施形態では、室外機１がアキュムレータ６を備えている場合について説明したが、アキュムレータ６は、冷媒を溜めることが可能な他の液溜容器、例えばレシーバ等に置き換えることが可能である。
【産業上の利用可能性】
【００８０】
本発明を利用すれば、室外機の生産性を向上させると共に、騒音の発生を防ぐことができる。
【図面の簡単な説明】
【００８１】
【図１】本発明の第１の実施形態にかかる保持構造を備えた空気調和機の室外機の外観斜視図である。
【図２】図１に示す室外機の内部構造を示す図である。
【図３】図２に示すアキュムレータが保持構造によって自立している状態を示す図である。
【図４】図３に示すアキュムレータの下端部近傍の拡大斜視図である。
【図５】図３に示すアキュムレータの下端部近傍の拡大断面図である。
【図６】図３に示す保持構造の分解斜視図である。
【図７】本発明の第２の実施形態にかかる保持構造によって自立している状態のアキュムレータを示す斜視図である。
【図８】本発明の第３の実施形態にかかる保持構造によって自立している状態のアキュムレータを示す斜視図である。
【符号の説明】
【００８２】
１  空気調和機
２  ケーシング
６  アキュムレータ（液溜容器）
７  保持構造
９、１０９、２０９  支持機構（支持手段）
２１  底フレーム
９１、１９１、２９１  ピン（第１突出部）
９３ａ  開口（嵌入部）
９４、１９４  挿入部（当接部）
９４ａ、１９４ａ  開口
９５  第１緩衝ゴム（緩衝部材）
９６  第２緩衝ゴム（第２突出部）
１９５  固定具（固定手段）
２９４  当接部
２９４ａ  当接面
２９５  タイラップ（固定手段）
２９６  防露筒（緩衝部材）
【図１】
2010084965.tif 000003
【図２】
2010084965.tif 000004
【図３】
2010084965.tif 000005
【図４】
2010084965.tif 000006
【図５】
2010084965.tif 000007
【図６】
2010084965.tif 000008
【図７】
2010084965.tif 000009
【図８】
2010084965.tif 000010